(57)【特許請求の範囲】
【請求項１】
固有の識別情報が記載されたシート本体と、前記識別情報を隠蔽可能に前記シート本体上に分離可能に固定された開封部と、を備え、
前記開封部には、前記シート本体から分離する方向を横切る方向に延び、前記開封部の塑性変形を促す線状の脆弱部が形成されており、該開封部を前記シート本体から分離する際に前記開封部の湾曲に伴い該開封部における線状の脆弱部の近傍に弾性回復しない塑性変形した部分が形成され易い紙素材から成り、その上面に前記識別情報に対応する機械読み取りコードが印刷されていることを特徴とするサービス提供用シート。
【請求項２】
前記機械読み取りコードはバーコードであり、前記開封部は、前記識別情報を取り囲むように切込部と非切込部とが交互に形成されて構成されるミシン目により区画されていることを特徴とする請求項１に記載のサービス提供用シート。
【発明の詳細な説明】
【技術分野】
【０００１】
本発明は、識別情報が記載されたサービス提供用シートに関する。
【背景技術】
【０００２】
近年、コンピュータネットワーク上のサービスを受ける際に、その代金の決済にプリペイドカードを用いることができるシステムが実用化されている。このようなシステムにおいては、プリペイドカードには識別番号及びこれに対応づけられたＰＯＳコードが表示されており、プリペイドカードが購入される際、プリペイドカードに表示されたＰＯＳコードがＰＯＳレジにて読み取られることによってプリペイドカードが使用可能な状態となる。その後、プリペイドカードの購入者は、プリペイドカードに表示された識別情報を用いて決済を行うことになる。
【０００３】
従来のプリペイドカードは、第１のシート部と第２のシート部とを有し、これらが折り畳まれることで、第２のシート部によって、第１のシート部に表示された第１のコード（識別情報）が視認不可能となるとともに、第２のコード（ＰＯＳコード）が視認可能となっており、第２のシート部が開封されて初めて第１のコードが視認できるようになっている（例えば、特許文献１参照）。
【先行技術文献】
【特許文献】
【０００４】
【特許文献１】特開２０１４−２３７３１０号公報（第７頁、第１図）
【発明の概要】
【発明が解決しようとする課題】
【０００５】
上述したようなプリペイドカードにおいては、店頭において陳列されるが、陳列スペースの制限によりその大きさは限られコンパクト化が図られる一方、当該プリペイドカード上に提供されるサービスの名称の他イラスト、キャッチコピー、価格、仕様説明等より多くの情報を視認し易く印刷する必要があるため、前記の第１のコード（識別情報）及び第２のコード（ＰＯＳコード）の記載スペースをなるべくコンパクトにする必要があった。
【０００６】
本発明は、このような問題点に着目してなされたもので、前記の第１のコード（識別情報）及び第２のコード（ＰＯＳコード）のスペース以外に、充分な印刷スペースを確保できるサービス提供用シートを提供することを目的とする。
【課題を解決するための手段】
【０００７】
前記課題を解決するために、本発明のサービス提供用シートは、
固有の識別情報が記載されたシート本体と、前記識別情報を隠蔽可能に前記シート本体上に分離可能に固定された開封部と、を備え、
前記開封部には、前記シート本体から分離する方向を横切る方向に延び、前記開封部の塑性変形を促す線状の脆弱部が形成されており、該開封部を前記シート本体から分離する際に前記開封部の湾曲に伴い該開封部における線状の脆弱部の近傍に弾性回復しない塑性変形した部分が形成され易い紙素材から成り、その上面に前記識別情報に対応する機械読み取りコードが印刷されていることを特徴としている。
この特徴によれば、固有の識別情報の記載されたスペースと、機械読み取りコードが印刷されているスペースを共用できることから、それ以外の印刷スペースを充分に確保できる。また、開封部をシート本体から分離する際に、開封部の湾曲に伴い開封部における線状の脆弱部の近傍に弾性回復しない塑性変形した部分が形成されるため、開封部の上面に印刷されたバーコードが崩れバーコード読取装置による読み取りが困難となる。
【０００８】
前記機械読み取りコードはバーコードであり、前記開封部は、前記識別情報を取り囲むように切込部と非切込部とが交互に形成されて構成されるミシン目により区画されていることを特徴としている。
この特徴によれば、開封部をシート本体から分離する際に、非切込部で開封部に瞬間的に強い衝撃が掛かるため開封部が湾曲し、開封部の上面に印刷されたバーコードが平面視において変形するため、バーコード読取装置による読み取りが困難となり、販売店の店員はバーコード読取装置による読み取りを迅速に行えない状態であることを基準として不正使用の疑いのあるサービス提供用シートを発見でき、不正使用を未然に防ぐことができる。
【図面の簡単な説明】
【００１０】
【図１】実施例１におけるサービス提供用シートを示す図である。
【図２】実施例１におけるサービス提供用シートを示す分解斜視図である。
【図３】実施例１における開封部を分離する様子を示す斜視図である。
【図４】実施例１における開封部を示す部分拡大正面図である。
【図５】開封部が一度分離された状態でバーコード読取装置によりバーコードを読み取ろうとする様子示す下面図である。
【図６】実施例２における開封部を示す部分拡大正面図である。
【図７】実施例２における開封部を分離する様子を示す部分拡大正面図である。
【図８】実施例２における開封部に塑性変形した部分が形成された状態を示すイメージ図である。
【図９】実施例２における開封部が折曲した状態を示す下面図である。
【発明を実施するための形態】
【００１１】
本発明に係るサービス提供用シートを実施するための形態を実施例に基づいて以下に説明する。
【実施例１】
【００１２】
実施例１に係るサービス提供用シートにつき、図１から図５を参照して説明する。
【００１３】
図１の符号１は、本発明の適用されたサービス提供用シートである。図１（ａ）に示されるのはサービス提供用シート１の裏面であり、ＰＩＮコード４とバーコード５の他に、このサービス提供用シート１のＰＩＮコード４とバーコード５により提供されるサービスに関する仕様説明や注意書き等が印刷されている。また、図１（ｂ）に示されるのはサービス提供用シート１の表面であり、同じくサービス提供用シート１のＰＩＮコード４とバーコード５により提供されるサービスの名称の他イラスト、キャッチコピー、価格等が印刷されている。サービス提供用シート１は、図２に示されるようにシート本体２と、シート本体２の裏面２ａに重合して貼り付けられた被覆シート３とから主に構成されている。
【００１４】
図２に示されるように、シート本体２は、その表面に識別情報であるＰＩＮコード４が記載されている。ＰＩＮコード４は、後述するバーコード５と互いに対応づけられたものとなっている。ＰＩＮコード４は数字や文字の組み合わせであり、シート本体２の幅方向に記載されている。
【００１５】
図１及び図２に示されるように、被覆シート３は、シート本体２と重合した際にＰＩＮコード４の上に位置する部分がミシン目６により区画されて開封部７が形成されている。ミシン目６はＰＩＮコード４の外側を囲むような略矩形状に形成されており、その長手方向一方側（図１では画面左側）の辺６ａ（図２参照）と、当該辺６ａの両端からそれぞれ連続するミシン目６の角部６ｂ，６ｂとが予め被覆シート本体３ａから切り離されて開封部７の分離開始端部７０が形成されている。また、長手方向他方側の辺６ｃ及び連接された角部６ｄ，６ｄも同様に予め被覆シート本体３ａから切り離されて開封部７の分離終端部７１が形成されている。この開封部７の上面７ａには、前述したＰＩＮコード４と対応付けられたバーコード５が印刷されている。
【００１６】
上記のように、バーコード５が開封部７に印刷されることで、被覆シート本体３ａ上の印刷スペースを広く取ることができるばかりでなく、シート本体２裏面の印刷スペースも含め、サービス提供用シート１の表裏において、このサービス提供用シートより提供されるサービスの名称の他イラスト、キャッチコピー、価格、サービスに関する仕様説明や注意書き等、様々な情報を印刷する充分なスペースを確保することができる。
【００１７】
尚、開封部７は、図３に示されるように、ミシン目６に沿って被覆シート本体３ａから切り離すことができるようになっており、開封部７が分離されて形成された開口部９からシート本体２のＰＩＮコード４を確認できるようになっている。
【００１８】
また、開封部７は、塑性変形しやすい紙素材で形成されるとともに、開封部７を構成する素地の色と、開封部７の表面に塗装される塗装色とは、互いの色差が大きくなるような色となっている。尚、本実施例では、開口部９の縁部にも開封部７と同じ塗装が施されている。
【００１９】
図４に示されるように、ミシン目６は、所定間隔おきに所定の長さで形成されてミシン目６の上下辺を構成する線状切込１１，１１，…と、隣接する線状切込１１，１１同士の間に形成される山型の山型切込１２，１２，…と、を備えている。山型切込１２，１２，…は、分離終端部７１側に位置する山型の頂点１２ａが隣接する線状切込１１の長手方向端部と連接されている。
【００２０】
利用者がサービス提供用シート１を購入する際、購入する店舗に設置された端末によりバーコード５が読み取られる。尚、この時点では、ＰＩＮコード４は開封部７が閉じられて視認不可能となっている。
【００２１】
続いて、実際に開封部７を分離させ、ＰＩＮコード４を露出させる際の態様を図３及び図４を用いて説明する。尚、ここでは、敢えてサービス提供用シート１の購入者以外（不正使用者）がＰＩＮコード４を盗み見ようとした際を例に説明する。不正使用者は、ＰＩＮコード４を盗み見るために開封部７を分離させた後、遠目では開封部７が分離されたことが判別できないように丁寧に開封部７を戻すというような作業を行い、その後に不正にサービスの提供を受けようとするものと想定する。
【００２２】
図４に示されるように、開封部７は、線状切込１１と隣接する山型切込１２との間及び分離開始端部７０を構成する角部６ｂの終端と隣接する山型切込１２との間、線状切込１１と隣接する分離終端部７１を構成する角部６ｄの終端との間には、余白部２０が向けられており、開封部７の分離開始端部７０の中央部を掴み、引き上げるようにすることで余白部２０が破断され、分離できるようになっている（図３参照）。
【００２３】
余白部２０が破断される際には、山型切込１２の各辺１２ｂ，１２ｃに影響されて、破断線が山型切込１２の少なくともいずれか一方の辺と交わる。そのため、開封部７の一部が被覆シート本体３ａ側に残存したり、反対に開封部７側に被覆シート本体３ａの一部とともに剥がれたりしてしまい、破断線が目立ちやすい。また、前述したように、開封部７を構成する素地の色と、開封部７の表面に塗装される塗装色とは、互いの色差が大きくなっているため、破断線の断面が目立ちやすくなっている。
【００２４】
図５に示されるように、開封された開封部７は湾曲状態となり、それに伴い開封部７の上面７ａに印刷されたバーコード５が平面視において反り返るように変形するため、バーコード読取装置３０による読み取りが困難となる。販売店の店員はバーコード読取装置３０による読み取りを迅速に行えない状態であることを基準として不正使用の疑いのあるサービス提供用シートであると判断し、直ちに販売を中止することができる。
詳しくは、バーコード読取装置３０はバーコード５に対して読み取り部３０ａを略平行に近づけることで読み取りが可能であるが、図５に示されるように、一度分離された開封部７は反り返るように変形していることから、読み取り部３０ａを略平行に近づけることが困難であり、開封部７をシート本体２に押さえつけるようにして読み取りを行うこととなる。そのため、バーコード読取装置３０による読み取りを迅速に行うことができない。尚、開封部７の変形が遠目では顕著に判別できない場合にあっても、バーコード読取装置３０による読み取りが迅速に行えない時点で、再度近くで確認し、開封部７が反り返るように変形した状態であることを目視できたことに基づき、販売店の店員が不正使用の疑いのあるサービス提供用シート１を発見でき、不正使用を未然に防ぐことができる。
【００２５】
また、開封部７は一度湾曲してしまうと、開封部７の有する塑性力により被覆シート本体３ａと面一となる分離前の形状に戻すことが困難となる。
【実施例２】
【００２６】
次に、実施例２に係るサービス提供用シートにつき、図６から図９を参照して説明する。尚、前記実施例と同一構成で重複する構成の説明を省略する。
【００２７】
図６に示されるように、開封部７は、シート本体２から分離される方向に、塑性変形を促す脆弱部であるスリット部１３，１３，…がそれぞれ離間して複数箇所形成されている。スリット部１３は、開封部７の幅方向略中央部に、開封部７の分離方向と直交する方向に開封部７に線状に切り抜かれて形成されている。尚、スリット部１３の長手方向両端部１３ａ，１３ａから線状切込１１，１１，…までの幅方向の距離は５ｍｍとなっており、この線状切込１１から長手方向端部１３ａまでの幅方向の距離と、スリット部１３の長手寸法との寸法比が１対２対１となっていることが好ましいが、必ずしもこの寸法比となるものに限られない。
【００２８】
また、スリット部１３は、当該スリット部１３の長手方向両端部１３ａ，１３ａから直線状に延長した仮想線αが線状切込１１，１１における開封部７の分離終端部７１側の端部１１ａ，１１ａと交わるように、スリット部１３の開封部７上における位置が設定されている。更に、スリット部１３の長手方向両端部１３ａ，１３ａから直線状に延長した仮想線αは、開封部７の分離方向に隣接する山型切込１２，１２を構成する幅方向内側の辺１２ｂ，１２ｂの終端近傍に位置している。
【００２９】
余白部２０が破断される際には当然、余白部２０に力が集中することになるが、線状切込１１の分離終端部７１側の端部とスリット部１３とが開封部７の分離方向に略同一となっているため、スリット部１３及びその長手方向両端部１３ａ，１３ａとの間に分離時の力の掛かり易く、折曲し易くなっている。
【００３０】
また、図７に示されるように、開封部７は、素地と表面塗装との色差が大きいため、折れ曲がった部分の表面塗装が崩れて素地が露出し、折れ曲がった部分が目立ちやすいばかりか、開封部７は塑性変形しやすい紙素材であるため、折れ曲がった部分が回復しにくく、時間経過後でも開封部７の折れ曲がり状態が維持される。
【００３１】
また、図８に示されるように、スリット部１３は、分離方向に隣接する山型切込１２の内側の辺１２ｂの終端より開封部７の分離開始端部７０側に位置しているため、スリット部１３の長手方向両端部１３ａ，１３ａと山型切込の内側辺の終端とを結ぶ折れ曲がり線Ｆ，Ｆが斜めに発生することになる。
【００３２】
そのため、開封部７の分離に伴い、斜めの折れ曲がり線Ｆ，Ｆに引っ張られる形で開封部７の幅方向端部が立ち上がり、開封部７が長手方向内側に巻き込まれる形に変形することになる。このように、折れ曲がり線Ｆ，Ｆが斜めであるため、開封部７が平板状に戻ろうとする力が開封部７の幅方向の中央（スリット部１３）と折れ曲がり線Ｆ，Ｆ付近とに不均一となるため、開封部７の変形状態が維持されやすい。そのため、外力によって無理に変形を元に戻そうとすると、図９に示されるように、スリット部１３及び折れ曲がり線Ｆ，Ｆ近傍を中心に開封部７が屈折された凸凹形状に変形された立体的な形状となり、元の平板状に戻ることがない。このように、開封部７が屈折された凸凹形状に変形された状態となることで、バーコード読取装置３０による読み取りが大幅に困難となる。
【００３３】
このように、一度でも開封部７を分離させると、その分離させた形跡が視認し易い状態で残存することになるばかりか、バーコード読取装置３０による読み取りが困難となるため、不正使用者の後にサービス提供用シート１を購入しようとした購入者や販売店の店員が不正使用の疑いのあるサービス提供用シート１を発見でき、不正使用を未然に防ぐことができる。また、不正使用者本人も、分離させた形跡及びバーコード５の印刷の崩れを目にすることで、不正使用を諦める場合も考えられ、抑止効果も期待できる。
【００３４】
以上、本発明の実施例を図面により説明してきたが、具体的な構成はこれら実施例に限られるものではなく、本発明の要旨を逸脱しない範囲における変更や追加があっても本発明に含まれる。
【００３５】
例えば、前記実施例では、開封部７にはスリット部１３が形成されて、破断線が目立ちやすくなっているが、開封部７が湾曲した形状に塑性変形するだけでも、バーコード読取装置３０による読み取りは困難となるため、このスリット部１３を省略した構成としてもよい。
【００３６】
また、バーコード５は、一次元バーコードに限らず、例えば二次元バーコードであってもよい。
【００３７】
また、バーコード５は、開封部７内の中央に印刷される構成に限らず、例えば、開封部７の外側にはみ出すようにして、開封部７から被覆シート本体３ａの一部に亘り印刷されてもよく、これによれば、開封部７の分離時にバーコードが破断され、バーコード読取装置３０による読み取りは困難となる。
【００３８】
前記実施例では、塑性変形を伴う脆弱部として開封部７を裏表に貫通するスリット部１３として説明したが、開封部が分離される際に開封部に折れ線のような塑性変形した部分が形成されるように機能するものであればよく、例えば、溝のように完全に開封部を貫通するスリット部でなくてもよいし、押圧によるスジ押しによる溝や基材の途中まで切り込みが入っているハーフスリット、又はミシン目等でもかまわない。
【００３９】
また、前記実施例では、スリット部１３は、開封部７の幅方向略中央部に開封部７の分離方向に直交して所定間隔離間させて複数形成されて説明されているが、これに限らず、例えば、開封部７の幅方向の端部に形成されてもよいし、開封部７の分離方向に対して横切る方向であれば斜めに形成されてもよいし、少なくとも開封部７に１箇所形成されていればよい。更に、スリット部の形状は、直線的な形状に限らず、例えばくの字形状であってもよいし、波型形状等であってもよい。
【００４０】
また、開封部７は、シート本体２の全面に渡る大きさの被覆シート３からミシン目６により一部が切り離された状態で形成される態様に限らず、例えば、ＰＩＮコード４を直接被覆する開封部がシート本体に分離可能に接着剤等で固定されるような態様であってもよい。
【００４１】
また、被覆シート３は、シート本体２と別体に限らず、例えば１枚のシートを折り畳んで、被覆シートとシート本体とを構成してもよい。
【００４２】
また、ミシン目６の構成も線状切込１１と山型切込１２とを組み合わせた構成に限らず、例えば全て線状切込により構成されていてもよい。更に、これら切込は、溝のように完全に開封部７を貫通する形状に限らず、押圧等のスジ押しによる溝や基材の途中まで切り込みが入っているハーフスリット等でもよい。
【００４３】
また、開封部７を構成する素材は前述した紙素材に限らず、例えば合成樹脂等でもよい。また、開封部７は、素地に対して色差の大きい色で塗装がなされたものに限らず、例えば色の違う合成樹脂を複数枚重ねて構成されたものであってもよい。尚、前述した折れ曲がり線Ｆ等によって不正使用の疑いのあるサービス提供用シート１を発見できるため、必ずしも開封部７の素地と塗装色との間に色差の違いがないものであってもよい。
【００４４】
また、サービス提供用シート１は、インターネット上等で利用されるものに限らず、特定の人間が開封するまで固有の識別情報が隠され、その固有の識別情報を用いて、他者から何かしらのサービスの提供を受けるためのものであれば様々な分野で利用可能である。
【符号の説明】
【００４５】
１                サービス提供用シート
２                シート本体
３                被覆シート
３ａ              被覆シート本体
４                ＰＩＮコード（識別情報）
５                バーコード
６                ミシン目
７                開封部
９                開口部
１１，１１，…    線状切込
１２，１２，…    山型切込
１２ａ            山型切込頂点
１２ｂ，１２ｃ    山型切込の辺
１３，１３，…    スリット部（脆弱部）
１３ａ，１３ａ    スリット部長手方向両端部
２０              余白部
３０              読取装置
３０ａ            読み取り部
７０              分離開始端部
７１              分離終端部
Ｆ                折り曲がり線
α                仮想線
【図１】
0006606390.tif 000002
【図２】
0006606390.tif 000003
【図３】
0006606390.tif 000004
【図４】
0006606390.tif 000005
【図５】
0006606390.tif 000006
【図６】
0006606390.tif 000007
【図７】
0006606390.tif 000008
【図８】
0006606390.tif 000009
【図９】
0006606390.tif 000010